(57)【要約】【課題】  排水栓軸に凹溝を周設し、該凹部に柔軟な材質からなる弾性部材（Ｏリング）を嵌入し、この柔軟な材質からなる弾性部材によって、ヘアーキャッチャーの着脱自在の装着がされる抜止めをすることは、弾性部材が柔軟な材質であるが故に、摩擦を生じ、且つ磨耗が激しく、抜止め機能を低下させることになり、また、挿通時に、噛込みによる千切れをも生じ易く、消耗が激しい。これらの点を解決することにある。【解決手段】  排水栓軸の下方部には凹部を周設し、該凹溝に硬質のＣ型止め輪が遊嵌され、そのＣ型止め輪の内周側面と凹溝の底面との間に間隙を保有させ、Ｃ型止め輪の縮径を可能とし、ヘアーキャッチャーの捕集ネットの下面に垂下する筒状軸の内周側面上方部には、排水栓軸が摺動保持される軸方向のリブでなるガイド筒部を形成し、該軸方向のリブでなるガイド筒部を挿通する排水栓軸がＣ型止め輪を縮径することにより着脱自在に挿通されるヘアーキャッチャーの取付構造である。【選択図】図１
2011106246.tif 000002
【特許請求の範囲】
【請求項１】
排水栓の昇降が遠隔操作され、排水口の開閉をする遠隔操作式排水栓装置において、排水口には、該排水口に配置されるヘアーキャッチャーと、該ヘアーキャッチャーを挿通して排水管内に配設される作動部の上に位置される排水栓軸とを設け、該排水栓軸の下方部には凹溝を周設し、該凹溝に硬質のＣ型止め輪が遊嵌され、そのＣ型止め輪の内周側面と凹溝の底面との間に間隙を保有させ、Ｃ型止め輪の縮径を可能とし、ヘアーキャッチャーの下面に垂下する筒状軸の内周側面上方部には、排水栓軸が摺動保持されるガイド筒部を形成し、該ガイド筒部を排水栓軸がＣ型止め輪を縮径することにより着脱自在に挿通されることを特徴とするヘアーキャッチャーの取付構造。
【請求項２】
ヘアーキャッチャーの捕集ネットの下面に垂下する筒状軸の内周側面上方部には、排水栓軸が摺動保持される軸方向のリブでなるガイド筒部を形成し、該軸方向のリブでなるガイド筒部を排水栓軸がＣ型止め輪を縮径することにより着脱自在に挿通されることを特徴とする請求項１記載のヘアーキャッチャーの取付構造。
【発明の詳細な説明】
【技術分類】
【０００１】  本発明は、洗面器や浴槽等の遠隔操作式排水栓装置の排水栓軸に備えられるヘアーキャッチャーの取付構造に関するものである。
【背景技術】
【０００２】  洗面器や浴槽等の遠隔操作式排水栓装置の排水栓軸に備えるヘアーキャッチャーは、排水栓軸に挿通、摺動し、ヘアーキャッチャーの清掃をも行えるよう着脱可能に取付けられるようにしたものがある（特許文献１，２，３）。【０００３】  また、軸に、抜止め固定するためにゴム又は合成樹脂製等の柔軟な材質からなる弾性リングを嵌着させることは、周知慣用技術事項であって、固着技術における常套手段である（特許文献４，５，６，７）。【０００４】  ところが、洗面器、浴槽等の排水栓軸に、ヘアーキャッチャーを着脱自在に装着するため、その排水栓軸外周面に凹溝を周設し、該凹溝に柔軟な材質からなる弾性部材を嵌入して、この弾性部材より上方にヘアーキャッチャーを装着するヘアーキャッチャーの取付構造がある（特許文献８）。
【先行技術文献】
【特許文献】
【０００５】
【特許文献１】  実開昭６１−１９８３６８
【特許文献２】  特開平７−７１０６２
【特許文献３】  実公平８−２２１０
【特許文献４】  実公昭４５−９１１０
【特許文献５】  実開昭５８−３３８０７
【特許文献６】  実開昭５６−２０１１４
【特許文献７】  実開昭５７−９６１２９
【特許文献８】  特開平１１−６１９３１
【発明の概要】
【発明が解決しようとする課題】
【０００６】  排水栓軸に、その外周面に凹溝を周設し、該凹溝に柔軟な材質からなる弾性部材を嵌入し、この弾性部材より上方にヘアーキャッチャーを着脱自在に装着する取付構造は、ヘアーキャッチャーを着脱自在に装着した抜止めの弾性部材が、柔軟な材質である故に、ヘアーキャッチャーの着脱にはその弾性部材を引き摺り摺動するために大きな摩擦が生じ、且つ摩耗がはげしく、抜止め機能をも低下させることになり、不都合である。また、柔軟な材質からなる弾性部材であるために、抜止めの際、弾性部材が歪みやすく、且つ千切れやすい。そして耐久性に乏しく、消耗性がはげしい。更に、ヘアーキャッチャーが柔軟な材質からなる弾性部材で抜止めされた際、柔軟な材質からなる弾性部材であるが故に、歪み、確かな手ごたえある抜止めをすることができず、不安で頼りない状態である。また、ヘアーキャッチャーの清掃に際して、排水栓と共にヘアーキャッチャーを抜取ろうとしても、柔軟な材質からなる抜止めの弾性部材である故、ヘアーキャッチャーが排水口内に残されてしまって清掃できない。そして、仮に、抜取り出すことができたとしても、ヘアーキャッチャーの重量で落下させてしまう危険があって不都合である等の欠点をも生ずるものである。
【課題を解決するための手段】
【０００７】  本発明のヘアーキャッチャーの取付構造は、排水栓の昇降が遠隔操作され、排水口の開閉をする遠隔操作式排水栓装置において、排水口には、該排水口に配設されるヘアーキャッチャーと、該ヘアーキャッチャーを挿通して排水管内に配設される作動部の上に位置される排水栓軸とを設け、該排水栓軸の下方部には凹溝を周設し、該凹溝に硬質のＣ型止め輪が遊嵌され、そのＣ型止め輪の内周面と凹溝の底面との間に間隙を保有させ、Ｃ型止め輪の縮径を可能とし、ヘアーキャッチャーの捕集ネットの下面に垂下する筒状軸の内周側面上方部には、排水栓軸が摺動保持されるガイド筒部を形成し、該ガイド筒部を排水栓軸がＣ型止め輪を縮径することにより着脱自在に挿通されることを特徴とするものである。【０００８】  本発明のヘアーキャッチャーの取付構造は、ヘアーキャッチャーの捕集ネットの下面に垂下する筒状軸の内周側面上方部には、排水栓軸が摺動保持される軸方向のリブでなるガイド筒部を形成し、該軸方向のリブでなるガイド筒部を排水栓軸がＣ型止め輪を縮径することにより着脱自在に挿通されることを特徴とするものである。
【発明の効果】
【０００９】  本発明のヘアーキャッチャーの取付構造は、排水栓軸の下方部には凹溝を周設し、該凹溝に硬質のＣ型止め輪が遊嵌され、ヘアーキャッチャーの捕集ネットの下面に垂下する筒状軸の内周側面上方部には、排水栓軸が摺動保持されるガイド筒部を形成し、該ガイド筒部を排水栓軸がＣ型止め輪を縮径することにより着脱自在に挿通されるものであって、排水栓軸の凹溝に硬質のＣ型止め輪が遊嵌されたものである為、更に、Ｃ型止め輪の内周側面と凹溝の底面との間に間隙を保有させている為に、Ｃ型止め輪の縮径を可能とし、排水栓軸の押込み挿通では、Ｃ型止め輪による縮径が、ヘアーキャッチャーの捕集ネットの下面に垂下する筒状軸の内周側面上方部のガイド筒部を摩擦少なくして、抵抗少なく挿通させることができ、摩耗の虞を解消することになり、作業が仕易くできる。
まして、排水栓軸を摺動保持するヘアーキャッチャーの捕集ネットの下面に垂下する筒状軸の内周側面上方部には、軸方向のリブが形成されている為に、排水栓軸、及びその排水栓軸のＣ型止め輪との挿通による摺動面を少なくすることができ、よって、摩擦面を少なくできて、摩耗が軽減できる。
なお更に、Ｃ型止め輪が硬質のものであるので、摺動面の摩擦が軟質のものよりは当然少なく、好都合である。しかも硬質であることは、排水栓軸のヘアーキャッチャーの捕集ネットの下面に垂下する筒状軸への脱着可能の挿通を、確実且つ手応えあるものにでき、抜止めが正確、且つ確実にできることになる。
よって、ヘアーキャッチャーの清掃に際して、抜止めが正確、且つ確実にできるため、排水栓と共にヘアーキャッチャーを排水口より抜取ることができ、且つ抜取り出したヘアーキャッチャーをその重量で落下させてしまうことがない等、好都合である。
【図面の簡単な説明】
【００１０】
【図１】  遠隔操作式排水栓装置の排水栓、及びヘアーキャッチャーの排水口への取付構造の断面図である。
【図２】  排水栓軸とヘアーキャッチャーとの組付図である。
【図３】  Ｃ型止め輪の斜視図である。
【図４】  ヘアーキャッチャーの捕集ネットの下面に垂下する筒状軸へ排水栓軸が挿通される寸前の状態を示す拡大図である。
【図５】  ヘアーキャッチャーの捕集ネットの下面に垂下する筒状軸へ排水栓軸が挿通中の状態を示す拡大図である。
【発明を実施するための形態】
【００１１】  本発明のヘアーキャッチャーの取付構造を図面に基いて説明すると、図１に示す如く、遠隔操作式排水栓装置の排水栓、及びヘアーキャッチャーの排水口への取付構造は、排水口金具が表面に顕れなく、見えないようにしたフランジレス排水口１２を備えた洗面ボウル１などに、テール部材２を介して排水管３がナット２１で接続され、排水口１２に配設されたヘアーキャッチャー６には、捕集ネット６０の下面中央に垂下する排水栓軸７１を挿通する筒状軸６１が設けられ、該筒状軸に挿通された排水栓軸７１の下端には排水栓７の昇降を遠隔操作するレリースワイヤ４の作動部４１の支軸４２が位置され、そして筒状軸６１の下端には、前記排水栓軸７１を作動する作動部４１の支軸４２がガイドされるガイド部６２を形成している。
【００１２】  図２〜５に示す如く、排水栓軸７１の下方部には、凹溝７１１を周設し、該凹溝には硬質のＣ型止め輪８が遊嵌され、そのＣ型止め輪８の内周側面８１と凹溝７１１の底面７１２との間に間隙７２を保有させ、Ｃ型止め輪８の縮径を可能としている。そして、ヘアーキャッチャー６の捕集ネット６０の下面に垂下する筒状軸６１の内周側面上方部には、排水栓軸が摺動保持されるガイド筒部６１０を形成している。更に、ガイド筒部６１０には、軸方向のリブ６１１が形成されている。
【００１３】  排水栓軸７１の下方部に凹溝７１１を周設し、該凹溝に硬質のＣ型止め輪８が遊嵌され、これをヘアーキャッチャー６の捕集ネット６０の下面に垂下する筒状軸６１へ挿通するに当って、筒状軸６１へ排水栓軸７１を押込もうとすると、この押込力で硬質のＣ型止め輪８が、該Ｃ型止め輪の内周側面８１と凹溝７１１の底面７１２との間には間隙７２を保有しているので縮径される。しかし、Ｃ型止め輪８が硬質であるので、縮径に大きな縮径力を必要とするが、Ｃ型止め輪８の内周側面８１と凹溝７１１の底面７１２との間の間隙７２で、排水栓軸７１の捩り押込みを可能とし、捩り押込みで押込力の軽減をしてのＣ型止め輪８の縮径ができるので、作業を容易にさせることができる。まして、ヘアーキャッチャー６の筒状軸６１の内周側面上方部には、排水栓軸７１を摺動保持するガイド筒部６１０が形成され、更に、ガイド筒部６１０には、軸方向のリブ６１１が形成されているので、該軸方向のリブでなるガイド筒部によって、排水栓７の昇降がその排水栓軸７１との摩擦抵抗の少ない摺動保持でされる。そこで、該軸方向のリブが、排水栓軸７１に遊嵌されたＣ型止め輪８の挿通をも摩擦抵抗を少なくできる。
排水栓軸７１に遊嵌されたＣ型止め輪８がリブ６１１を挿通しえた後には、Ｃ型止め輪８が、硬質で、強い弾発力を有するものであるので、縮径されていたものが元に戻ることになり、正確にして確実な抜止めをすることができる。
従って、ヘアーキャッチャーの清掃に際して、ヘアーキャッチャーを排水口内に残すことなく、排水栓と共に抜取ることができ、また、抜取り出したヘアーキャッチャーをその重量で排水栓軸７１より落下させてしまうことがない。
【符号の説明】
【００１４】１        洗面ボウル
１２      フランジレス排水口
２        テール部材
２１      ナット
３        排水管
４        レリースワイヤ
４１      作動部
４２      支軸
５        支持部材
６        ヘアーキャッチャー
６０      捕集ネット
６１      筒状軸
６１０    ガイド筒部
６１１    リブ
６２      ガイド部
７        排水栓
７１      排水栓軸
７１１    凹溝
７１２    底面
７２      間隙
８        Ｃ型止め輪
８１      内周側面
【図１】
2011106246.tif 000003
【図２】
2011106246.tif 000004
【図３】
2011106246.tif 000005
【図４】
2011106246.tif 000006
【図５】
2011106246.tif 000007